(57)【要約】      （修正有）【課題】殺菌水の持ち運びを容易にしてユーザの利便性の向上を図ることができる便座装置を提供する。【解決手段】筐体３４と、筐体に収容され且つ殺菌水を生成する殺菌水生成器１４と、筐体に収容され且つ殺菌水生成器により生成された殺菌水を貯留可能で且つ筐体外に持ち出し可能な殺菌水ケース１６と、を備える。【選択図】図１
2019154658.tif 000002
【特許請求の範囲】
【請求項１】
便座装置であって、
筐体と、
前記筐体に収容され且つ殺菌水を生成する殺菌水生成器と、
前記筐体に収容され且つ前記殺菌水生成器により生成された殺菌水を貯留可能で且つ前記筐体外に持ち出し可能な殺菌水ケースと、
を備える便座装置。
【請求項２】
請求項１記載の便座装置であって、
前記殺菌水ケース内の殺菌水を排出するための排水部を更に備える、
便座装置。
【請求項３】
請求項２記載の便座装置であって、
前記殺菌水ケースから前記排水部を介して排出される殺菌水を便器のボウル部に案内する案内部を更に備える、
便座装置。
【請求項４】
請求項３記載の便座装置であって、
タンクからの洗浄水により前記ボウル部を洗浄する際に、前記殺菌水ケースから殺菌水が排出されるように前記排水部を制御する制御部を更に備える、
便座装置。
【請求項５】
請求項１ないし４のうちの何れか１つの請求項に記載の便座装置であって、
前記殺菌水は、電解水、銀イオン水、オゾン水のうちの何れかである、
便座装置。
【発明の詳細な説明】
【技術分野】
【０００１】
本発明は、便座装置に関する。
【背景技術】
【０００２】
従来、この種の便座装置としては、清掃用の水や洗剤、酸性水、次亜塩素酸水をノズル機構から便器に吐出するものが提案されている（例えば、特許文献１参照）。この便座装置では、こうした構成とすることにより、便器の清潔性を維持している。
【０００３】
また、便座装置としては、本体外部にある吐水口と、給水源から供給された水を吐水口に導く流路の途中に設けられて次亜塩素酸の殺菌水を生成する殺菌水生成部と、を備えるものも提案されている（例えば、特許文献２参照）。この便座装置では、こうした構成とすることにより、吐水口から殺菌水を取り出せるようにしている。
【先行技術文献】
【特許文献】
【０００４】
【特許文献１】特開２０００−１４４８４６号公報
【特許文献２】特開２０１５−１９０２４１号公報
【発明の概要】
【発明が解決しようとする課題】
【０００５】
上述の前者の便座装置では、次亜塩素酸水などの殺菌水を、便器のボウル内や洗浄ノズル以外、例えば、便座や便蓋、操作部などの洗浄や殺菌に使用したり、トイレ空間以外の洗浄や殺菌に使用したりすることは困難である。上述の後者の便座装置では、殺菌水の吐水口を外部に設けているだけであるから、殺菌水の持ち運びに不便である。
【０００６】
本発明の便座装置は、殺菌水の持ち運びを容易にしてユーザの利便性の向上を図ることを主目的とする。
【課題を解決するための手段】
【０００７】
本発明の便座装置は、上述の主目的を達成するために以下の手段を採った。
【０００８】
本発明の便座装置は、
便座装置であって、
筐体と、
前記筐体に収容され且つ殺菌水を生成する殺菌水生成器と、
前記筐体に収容され且つ前記殺菌水生成器により生成された殺菌水を貯留可能で且つ前記筐体外に持ち出し可能な殺菌水ケースと、
を備えることを要旨とする。
【０００９】
この本発明の便座装置では、筐体と、筐体に収容され且つ殺菌水を生成する殺菌水生成器と、筐体に収容され且つ殺菌水生成器により生成された殺菌水を貯留可能で且つ筐体外に持ち出し可能な殺菌水ケースと、を備えることを要旨とする。こうした構成とすることにより、殺菌水が貯留された殺菌水ケースを筐体外に持ち出すことができるから、殺菌水の持ち運びを容易にしてユーザの利便性の向上を図ることができる。ここで、「殺菌水」としては、電解水や銀イオン水、オゾン水などが用いられる。
【００１０】
こうした本発明の便座装置において、前記殺菌水ケース内の殺菌水を排出するための排水部を更に備えるものとしてもよい。殺菌水を殺菌水ケースに貯留しておくと、その殺菌性が徐々に低下する。したがって、古い殺菌水を排水して新しい殺菌水を貯留できるようにするのが好ましい。
【００１１】
排水部を備える態様の本発明の便座装置において、前記殺菌水ケースから前記排水部を介して排出される殺菌水を便器のボウル部に案内する案内部を更に備えるものとしてもよい。この場合、タンクからの洗浄水により前記ボウル部を洗浄する際に、前記殺菌水ケースから殺菌水が排出されるように前記排水部を制御する制御部を更に備えるものとしてもよい。これらのようにすれば、ボウル部をより清潔にすることができる。
【図面の簡単な説明】
【００１２】
【図１】便器１および便座装置１０の外観図である。
【図２】便器１および便座装置１０の模式図である。
【図３】便器１および便座装置１０の構成図である。
【図４】電解水ケース１６の断面図である。
【図５】排水バルブ１７を開弁させるときの様子を示す説明図である。
【図６】電解水ケース１６を筐体３４の外部に持ち出すときの様子を示す説明図である。
【図７】便器１のボウル部２を洗浄する際の洗浄水および電解水の流れの様子を示す説明図である。
【図８】便器１のボウル部２を洗浄する際の洗浄水および電解水の流れの様子を示す説明図である。
【図９】便器１および便座装置１１０の構成図である。
【図１０】電解水ケース１１６の斜視図である。
【図１１】電解水ケース１１６の断面図である。
【図１２】電解水ケース１１６を筐体３４の外部に持ち出すときの様子を示す説明図である。
【発明を実施するための形態】
【００１３】
本発明を実施するための形態について図面を参照しながら説明する。
【００１４】
図１は、便器１および便座装置１０の外観図であり、図２は、便器１および便座装置１０の模式図であり、図３は、便器１および便座装置１０の構成図である。便器１は、洋式便器であり、便器１の上面に便座装置１０が設置されている。なお、図１では、見やすさを考慮して、便座４８や便蓋４９の図示を省略した。
【００１５】
図示するように、便座装置１０は、便器１の上面後部に設置される便座装置本体１２と、便座装置本体１２よりも後側で便器１の上面に設置されるタンク４０と、便座装置本体１２に回転自在に支持される便座４８と、便座装置本体１２に回転自在に支持される便蓋４９と、使用者により操作される操作部５０と、を備える。
【００１６】
タンク４０は、水道水を便器１のボウル部２を洗浄するための洗浄水として貯留する。このタンク４０は、図３に示すように、水道水流路４５および止水栓４６を介して水道配管５に接続されており、ボールタップ（図示省略）やオーバーフロー管（図示省略）、排水バルブ４１などを有する。排水バルブ４１は、便座装置本体１２の制御装置３０により開閉制御される。タンク４０からの洗浄水は、図１〜図３に示すように、便器１に形成された洗浄水路３を介して便器１のボウル部２に流通する。
【００１７】
便座装置本体１２は、水道水流路４５から分岐した分岐流路４５ａに設けられた給水バルブ１３と、分岐流路４５ａの給水バルブ１３よりも下流側に設けられて水道水から殺菌水としての電解水を生成する電解水生成器１４と、電解水生成器１４により生成された電解水を貯留する電解水ケース１６と、便座装置１０全体を制御する制御装置３０と、これらを収容する筐体３４と、を備える。ここで、給水バルブ１３は、制御装置３０により開閉制御される。筐体３４の側面（図１や図２の手前側の側面）には、筐体３４の開口部（電解水ケース１６の取出口）を開閉可能な開閉部３５が取り付けられている。
【００１８】
電解水生成器１４は、陽極および陰極が配置された流路に水道水（塩素イオンを含む水）を流通させると共に陽極および陰極に通電することにより、水道水を電気分解して電解水（次亜塩素酸水）を生成する。陽極および陰極の通電制御は、制御装置３０により行なわれる。
【００１９】
図４は、電解水ケース１６の断面図である。図示するように、電解水ケース１６は、上面が開口した直方体状に形成されている。電解水ケース１６には、電解水生成器１４によより生成された電解水が給水路１４ａを介して貯留される。また、電解水ケース１６には、電解水を排水するための排水バルブ１７の一部が取り付けられている。
【００２０】
排水バルブ１７は、弁ハウジング１８と、弁体１９と、スプリング２０と、開弁用部材２１と、を有する。弁ハウジング１８は、円筒状に形成され、電解水ケース１６の底部に固定されている。弁ハウジング１８の側面（周面）には、弁ハウジング１８内と電解水ケース１６内とが連通するように導入口１８ａが形成されている。また、弁ハウジング１８の端面には、弁ハウジング１８内と電解水ケース１６外とが連通するように排出口１８ｂが形成されている。
【００２１】
弁体１９は、弁ハウジング１８に収容され、排出口１８ｂを遮蔽可能な円筒状に形成されている。この弁体１９の外周には、Ｏリング１９ａが取り付けられている。スプリング２０は、弁体１９に対してその端面を排出口１８ｂに押し付ける付勢力を付与する。開弁用部材２１は、弁体１９を排出口１８ｂから離間する側に移動させるための部材であり、制御装置３０により移動制御される。
【００２２】
この排水バルブ１７は、基本的には、スプリング２０の付勢力によって弁体１９により排出口１８ｂが遮蔽されて閉弁する。このとき、図４の白抜き矢印に示すように、電解水生成器１４から給水路１４ａを介して電解水が供給されると、電解水ケース１６に電解水が貯留される。また、排水バルブ１７は、図５に示すように、開弁用部材２１により弁体１９が排出口１８ｂから離間する側に移動すると、開弁する。このとき、図５の白抜き矢印に示すように、電解水ケース１６内の電解水が排水バルブ１７を介して（導入口１８ａ、弁ハウジング１８、排出口１８ｂを経由して）電解水ケース１６外に排出される。そして、排出された電解水は、筐体３４に形成された排水路３６を介して上述の洗浄水路３に流通する。
【００２３】
本実施形態では、筐体３４の開閉部３５が開けられているときには、図６に示すように、電解水ケース１６および排水バルブ１７における開弁用部材２１を除く部分を筐体３４の外部に持ち出せるようになっている。これにより、電解水の持ち運びを容易にすることができるから、電解水を、便座４８や便蓋４９、操作部５０などの洗浄や殺菌に使用したり、トイレ空間以外の洗浄や殺菌に使用したりする際の利便性を向上させることができる。
【００２４】
制御装置３０は、ＣＰＵ３０ａやＲＯＭ３０ｂ、ＲＡＭ３０ｃ、入出力ポートなどを備える。制御装置３０には、操作部５０からの信号などが入力ポートを介して入力され、制御装置３０からは、給水バルブ１３や電解水生成器１４、排水バルブ１７，４１などへの制御信号が出力ポートを介して出力される。
【００２５】
操作部５０には、図３に示すように、便器１のボウル部２を洗浄させるための洗浄ボタン（大）５１および洗浄ボタン（小）５２と、電解水生成器１４に電解水を生成させるための電解水生成ボタン５３と、電解水ケース１６の電解水を排水させるための電解水排水ボタン５４と、が設けられている。
【００２６】
次に、本実施形態の便座装置１０の動作について説明する。便座装置１０では、電解水ケース１６が筐体３４の所定位置（図４の位置）にセットされていて且つ電解水ケース１６に電解水が貯留されていない状態で、ユーザにより操作部５０の電解水生成ボタン５３が押下されると、制御装置３０は、給水バルブ１３を開弁させると共に電解水生成器１４の陽極および負極の通電制御を行なう。これにより、電解水生成器１４で電解水が生成され、給水路１４ａを介して電解水ケース１６に貯留される。すると、上述したように、ユーザは、筐体３４の開閉部３５を開けて電解水ケース１６を筐体３４外に持ち出して、電解水を、便座４８や便蓋４９、操作部５０などの洗浄や殺菌に使用したり、トイレ空間以外の洗浄や殺菌に使用したりすることができる。なお、電解水ケース１６に電解水が貯留されている状態で電解水生成ボタン５３が押下されたときには、電解水生成ボタン５３の押下をリジェクトし（電解水生成器１４により電解水を生成せずに）、更に、電解水ケース１６を筐体３４外に持ち出したり電解水排水ボタン５４を押下したりするようにアナウンスするのが好ましい。
【００２７】
また、便座装置１０では、電解水ケース１６が筐体３４の所定位置にセットされていて且つ電解水ケース１６に電解水が貯留されている状態で、ユーザにより操作部５０の洗浄ボタン（大）５１や洗浄ボタン（小）が押下されると、制御装置３０は、排水バルブ４１を開弁させて、タンク４０内の洗浄水を洗浄水路３を介して便器１のボウル部２に流通させると共に、排水バルブ１７を開弁させて、電解水ケース１６内の電解水を排水路３６を介して洗浄水路３に流通させて、洗浄水と電解水とを混合させる。図７および図８は、このときの洗浄水および電解水の流れの様子を示す説明図である。図７および図８中、白抜き矢印は、洗浄水の流れを示し、黒塗り矢印は、電解水の流れを示す。このように洗浄水と電解水とを混合させることにより、便器１のボウル部２などをより清潔にすることができる。なお、電解水の濃度が低いと殺菌性が低下することから、タンク４０からの洗浄水の流通の終盤に（洗浄水の流量が少なくなってから）洗浄水と電解水とを混合させると、より効果的であると考えられる。
【００２８】
以上説明した本実施形態の便座装置１０では、筐体３４に収容されて殺菌水を生成する電解水生成器１４と、筐体３４に収容されて電解水生成器１４により生成された殺菌水を貯留可能で且つ筐体３４外に持ち出し可能な電解水ケース１６と、を備える。これにより、殺菌水の持ち運びを容易にしてユーザの利便性の向上を図ることができる。
【００２９】
また、本実施形態の便座装置１０では、タンク４０からの洗浄水を洗浄水路３を介して便器１のボウル部２に流通させる際に、電解水ケース１６内の電解水を排水路３６を介して洗浄水路３に流通させて、洗浄水と電解水とを混合させる。これにより、ボウル部２などをより清潔にすることができる。
【００３０】
実施形態では、タンク４０からの洗浄水を洗浄水路３を介して便器１のボウル部２に流通させてボウル部２を洗浄する際に、制御装置３０により、排水バルブ１７を開弁させて電解水ケース１６内の電解水を排出させるものとした。しかし、この際に、電解水ケース１６内の電解水を排出させないものとしてもよい。この場合、ユーザにより操作部５０の電解水排水ボタン５４が押下されたときや、電解水ケース１６に電解水を貯留してから所定期間（例えば、数日〜数週間）が経過したときなどに、電解水ケース１６内の電解水を排出させるものとしてもよい。後者の場合、電解水ケース１６内の電解水を排出させた後に、電解水生成器１４により電解水を生成して電解水ケース１６に貯留させるものとしてもよい。電解水の殺菌性は時間が経過するほど低下することから、定期的に古い殺菌水を排水して新しい殺菌水を貯留するのが好ましい。
【００３１】
実施形態では、開弁用部材２１は、制御装置３０により制御されて移動するものとしたが、手動でその方向に移動するものとしてもよい。
【００３２】
実施形態では、電解水ケース１６に排水バルブ１７が取り付けられるものとしたが、こうした排水バルブが取り付けられないものとしてもよい。この場合、電解水ケース１６に電解水を貯留してから所定期間（例えば、数日〜数週間）が経過したときなどに、電解水ケース１６を筐体３４外に持ち出すようにアナウンスするのが好ましい。
【００３３】
実施形態では、ユーザにより操作部５０の電解水生成ボタン５３が押下されたときに、電解水生成器１４により電解水を生成して電解水ケース１６に貯留させるものとした。しかし、これに加えてまたは代えて、図示しない着座センサによりユーザの便座４８への着座を検知したときなどに、電解水生成器１４により電解水を生成して電解水ケース１６に貯留させるものとしてもよい。
【００３４】
実施形態では、タンク４０からの洗浄水を洗浄水路３を介して便器１のボウル部２に流通させてボウル部２を洗浄する際に、電解水ケース１６内の電解水を洗浄水路３に流通させて、洗浄水路３で洗浄水と電解水とを混合させるものとした。しかし、電解水ケース１６内の電解水を洗浄水路３を経由せずにボウル部２に流通させて、ボウル部２で洗浄水と電解水とを混合させるものとしてもよい。
【００３５】
実施形態では、図３や図４に示したように、排水バルブ１７が取り付けられた電解水ケース１６を備える便座装置１０の構成とした。しかし、図９〜図１１に示すように、給水路１１７および排水路１１８が取り付けられた電解水ケース１１６と、筐体３４に形成された排水路１３６に設けられた電動ポンプ１１９と、を備える便座装置１１０の構成としてもよい。便座装置１１０のうち便座装置１０と同一の構成については同一の符号を付した。図示するように、電解水ケース１１６は、電解水ケース１６と同様に、上面が開口した直方体状に形成されている。給水路１１７は、電解水生成器１４からの給水路１１４ａに接続され、排水路１１８は、筐体３４に形成された排水路１３６に接続される。なお、給水路１１４ａの給水路１１７との接続部分および排水路１３６の排水路１１８との接続部分には、Ｏリング１２０，１２１が取り付けられている。電動ポンプ１１９は、制御装置３０により制御される。
【００３６】
この便座装置１１０では、電解水生成器１４により電解水が生成されると、給水路１１４ａおよび給水路１１７を介して電解水ケース１１６に貯留される。また、制御装置３０により電動ポンプ１１９を駆動制御すると、電解水ケース１１６内の電解水が排水路１１８を介して吸引されることにより、電解水の排水が行なわれる。
【００３７】
また、この便座装置１１０では、筐体３４の開閉部３５が開けられているときには、図１２に示すように、給水路１１７および排水路１１８を給水路１１４ａおよび排水路１３６から取り外して、電解水ケース１１６と給水路１１７と排水路１１８とを一体に筐体３４の外部に持ち出せるようになっている。これにより、電解水の持ち運びを容易にすることができるから、電解水を、便座や便蓋、操作部５０などの洗浄や殺菌に使用したり、トイレ空間以外の洗浄や殺菌に使用したりする際の利便性を向上させることができる。
【００３８】
この便座装置１１０では、電解水ケース１６に排水路１１８が取り付けられるものとしたが、こうした排水路が取り付けられないものとしてもよい。この場合、電解水ケース１６に電解水を貯留してから所定期間（例えば、数日〜数週間）が経過したときなどに、電解水ケース１６を筐体３４外に持ち出すようにアナウンスするのが好ましい。
【００３９】
実施形態では、電解水ケース１６や電解水ケース１１６は、直方体状に形成されるものとしたが、円筒状に形成されるものとしてもよいし、スプレーヘッドを取付可能なスプレー用容器形状（例えば、トリガーボトル形状）に形成されるものとしてもよい。
【００４０】
実施形態では、殺菌水として、電解水（次亜塩素酸水）を電解水生成器１４により生成して電解水ケース１６に貯留させるものとしたが、これに代えて、銀イオン水を生成器により生成してケースに貯留させるものとしたり、オゾン水を生成器により生成してケースに貯留させるものとしたりしてもよい。
【００４１】
実施形態の主要な要素と課題を解決するための手段の欄に記載した発明の主要な要素との対応関係について説明する。実施形態では、電解水生成器１４が「殺菌水生成器」に相当し、電解水ケース１６が「殺菌水ケース」に相当する。また、排水バルブ１７が「排水部」に相当する。排水路３６や洗浄水路３が「案内部」に相当する。制御装置３０が「制御部」に相当する。
【００４２】
なお、実施形態の主要な要素と課題を解決するための手段の欄に記載した発明の主要な要素との対応関係は、実施形態が課題を解決するための手段の欄に記載した発明を実施するための形態を具体的に説明するための一例であることから、課題を解決するための手段の欄に記載した発明の要素を限定するものではない。即ち、課題を解決するための手段の欄に記載した発明についての解釈はその欄の記載に基づいて行なわれるべきものであり、実施形態は課題を解決するための手段の欄に記載した発明の具体的な一例に過ぎないものである。
【００４３】
以上、本発明を実施するための形態について説明したが、本発明はこうした実施形態に何等限定されるものではなく、本発明の要旨を逸脱しない範囲内において、種々なる形態で実施し得ることは勿論である。
【産業上の利用可能性】
【００４４】
本発明は、便座装置の製造産業などに利用可能である。
【符号の説明】
【００４５】
１  便器、２  ボウル部、３  洗浄水路、５  水道配管、１０  便座装置、１２  便座装置本体、１３  給水バルブ、１４  電解水生成器、１４ａ  給水路、１６  電解水ケース、１７  排水バルブ、１８  弁ハウジング、１８ａ  導入口、１８ｂ  排出口、１９  弁体、１９ａ  Ｏリング、２０  スプリング、２１  開弁用部材、３０  制御装置、３０ａ  ＣＰＵ、３０ｂ  ＲＯＭ、３０ｃ  ＲＡＭ、３４  筐体、３５  開閉部、３６  排水路、４０  タンク、４１  排水バルブ、４５  水道水流路、４５ａ  分岐流路、４６  止水栓、４８  便座、４９  便蓋、５０  操作部、５３  電解水生成ボタン、５４  電解水排水ボタン、１１０  便座装置、１１４ａ  給水路、１１６  電解水ケース、１１７  給水路、１１８  排水路、１１９  電動ポンプ、１２０，１２１  Ｏリング、１３６  排水路。
【図１】
2019154658.tif 000003
【図２】
2019154658.tif 000004
【図３】
2019154658.tif 000005
【図４】
2019154658.tif 000006
【図５】
2019154658.tif 000007
【図６】
2019154658.tif 000008
【図７】
2019154658.tif 000009
【図８】
2019154658.tif 000010
【図９】
2019154658.tif 000011
【図１０】
2019154658.tif 000012
【図１１】
2019154658.tif 000013
【図１２】
2019154658.tif 000014